(57)【要約】      （修正有）【課題】トイレットペーパーを他の生活分野にスマート且つ簡便に利用し上質紙の削減で少資源化に貢献できるトイレットペーパーホルダーグッズを提供する。【解決手段】全形を台形型とし、本体外枠部分と取り外し側面部分の２つの合体型で、本体外枠部分には、横向きセットのトイレットペーパーの取り出し口を外してスッポリと覆う形の上半分と、連結する下半分には分厚い底面部分を有し置き型としての安定性を図り、背面部分中央トップには釘穴を有した突起片５が吊り型用として備えてあり、更に取り外し側面部分側には本体外枠部分との２つの部分の連結を担う為のボタン穴２及びフック３を有し、合体型を為すのを特徴とする置き型、吊るし型両用のトイレットペーパーホルダーグッズである。【選択図】図１0003206043.tif 000003
0003206043.tif 000002
【実用新案登録請求の範囲】
【請求項１】
コンパクトで底部▲Ｂ▼を分厚くより安定した台形型のＡとＢとの合体型。Ａ側上半分はトイレットペーパーを横型にし、その外輪線を一回り大きく覆う形の外枠がある。その内側側面には、トイレットペーパー芯の径よりも一回り細く、ペーパー芯が外側からはめ込む事で係止の役割を持つ４を設け、その４の径よりも一回り細い芯棒１にトイレットペーパーをセットした１のイ側芯棒が内側からはめ込んで係止。両方の役目を担う形の４ともなる。
【請求項２】
Ａ側背面中央の延長線上トップには吊り下げ用に対応する釘穴を有する５を持つ。
【請求項３】
Ａ側外枠正面の最先端には、トイレットペーパーを破断する為の波形６を持ち、その少し手前内側には６より少し長さの短いペーパー戻り防止板の８を備えている。
【請求項４】
Ａ側戻り防止板８はトイレットペーパーの外輪線と６の破断の波型との中空を平行に位置し、短冊板でその上面をペーパーが通過し６の破断へと導かれる。８の上面には戻り防止となる小さな下ろし金状の突起を６に近いラインのみ備え、ペーパーが戻ろうとする時にのみ抵抗力が働くようにする。
【請求項５】
Ｂ側はより安定した合体のためＢの枠線接合部分を凹型にて▲Ｂ▼との接合部分を受け止める。１の芯棒にイ側からセットのトイレットペーパーを４で係止しロ側を２の穴にＢの内側からはめ込み、同時に６の片一方を７の係止に合わせ、Ｂと▲Ｂ▼枠全て合わせてホック３で止めつけＡとＢを合体させる。
【考案の詳細な説明】
【考案が解決しようとする課題】
【０００１】  安価なトイレットペーパーを他分野での利用を増やし、上質紙の削減で少資源化に貢献出来ないか。
【課題を解決するための手段】
【０００２】  トイレで使用するペーパーのイメージの払拭とコロコロ転がるのを防ぎ安定した置き型、吊るし型両用での簡便に利用出来るための物にしたい。
【考案の効果】
【０００３】  吊り型や置き型何れも安定型でスマート。カラフルで可愛くインテリア感覚としてもＯＫコンパクトで便利に持ち運べ、上質紙の使用量は８割も減らせる効果を発揮。
【図面の簡単な説明】
【図１】  トイレットペーパーを取り付けＡ，Ｂ合体した正面からの完成図である。トップには吊り用釘穴を有した５、１の芯棒に通したペーパーを係止の為の４、もう一方の端を２の穴に通し３のホックで止めＡ，Ｂを合体。ペーパー先端の導入と巻き戻り防止の為の８、その間を通るペーパー破断のための６を有し、その６を係止の７を有したものの図である。
【図２】  ペーパー取り付け前の片面Ａ図である。
【図３】  ペーパー取り付け前のもう片面Ｂ図である。
【図４】  ペーパー芯に１をイ側から通し４でペーパーを係止し、ロ側を２の穴に入れ３のホックで止めてＡとＢを合体する役目をも担う部品の図である。
【図５】  ホック３で止め付けたＢの側面図である。
【符号の説明】１  正面からのＡ，Ｂ合体した完成図
２  合体前の片面のＡ
３  合体前のもう一方の片面Ｂ
４  トイレットペーパーを本体にセットの為の芯棒とＡとＢを合体する為のホック
５  ホックで止め付けた側面図
【図１】
0003206043.tif 000004
【図２】
0003206043.tif 000005
【図３】
0003206043.tif 000006
【図４】
0003206043.tif 000007
【図５】
0003206043.tif 000008
【手続補正書】
【提出日】平成28年2月10日(2016.2.10)
【手続補正１】
【補正対象書類名】明細書
【補正対象項目名】全文
【補正方法】変更
【補正の内容】
【考案の詳細な説明】
【考案が解決しようとする課題】
【０００１】  安価なトイレットペーパーを他分野での利用を増やし、上質紙の削減で省資源化に貢献出来ないか。
【課題を解決する為の手段】
【０００２】  トイレで使用するペーパーのイメージの払拭とコロコロ転がるのを防ぎ安定した置き型、吊るし型両用での簡便に利用出来る物にしたい。
【考案の効果】
【０００３】吊り型や置き型何れも安定型でスマート。カラフルで可愛くインテリア感覚としてもＯＫコンパクトで便利に持ち運べ、上質紙の使用量は８割も削減できた。想定外は居室でポータブルトイレを使用せざるを得ない方からの称賛だった。
【図面の簡単な説明】
【０００４】
【図１】トイレットペーパーを取り付けＡ、Ｂ合体した正面からの完成図である。トップには吊り用釘穴を有した５、トイレットペーパー本体の芯部分４を１の芯棒に通しもう一方の端を２の穴に通し３のホックで止めＡ、Ｂを合体。ペーパーを破断する為の６を有し、その６を係止の役目の７がある。破断の一つ手前では８がありその上をペーパー通過させる事によりペーパーの戻り防止の役割を担う働きを持たせた物の図である。
【図２】ペーパー取り付け前の片面Ａ図である。
【図３】ペーパー取り付け前のもう片面Ｂ図である。
【図４】ホック３で止め付けたＢの側面図である。
【符号の説明】
【０００５】    １正面からのＡ、Ｂ合体した完成図
２合体前の片面のＡ図
３合体前のもう一方の片面Ｂ
４ホックで止め付けた側面図
【手続補正２】
【補正対象書類名】図面
【補正対象項目名】全図
【補正方法】変更
【補正の内容】
【図１】
0003206043.tif 000009
【図２】
0003206043.tif 000010
【図３】
0003206043.tif 000011
【図４】
0003206043.tif 000012
【手続補正書】
【提出日】平成28年5月30日(2016.5.30)
【手続補正１】
【補正対象書類名】実用新案登録請求の範囲
【補正対象項目名】全文
【補正方法】変更
【補正の内容】
【実用新案登録請求の範囲】
【請求項１】
全形を台形型とし、本体外枠部分と取り外し側面部分の２つの合体型で、前記本体外枠部分には、横向きセットのトイレットペーパーの取り出し口を外してスッポリと覆う形の上半分と、連結する下半分には分厚い底面部分を有し置き型としての安定性を図り、背面部分中央トップには釘穴を有した突起片が吊り型用として備えてあり、更に前記取り外し側面部分側には前記本体外枠部分との２つの部分の連結を担う為のボタン穴及びフックを有し、合体型を為すのを特徴とする置き型、吊るし型両用のトイレットペーパーホルダーグッズ。
【請求項２】
前記トイレットペーパーのセットは前記本体外枠部分の内側面から伸びる芯棒にセットされ、前記トイレットペーパーの巻出し部分は、前記本体外枠部分正面最先端部の波型破断カッターに導かれ、必要量切り取る事が出来るが、前記セットのトイレットペーパーの外輪と前記波型破断カッターとの中空且つ平行の位置に、上面に下ろし金状突起を有した細長い短冊型板の上面を通過させる事に依り、破断後の前記トイレットペーパーの巻き戻り防止の役目を持つのを特徴の請求項１掲載のトイレットペーパーホルダーグッズ。
【請求項３】
前記本体外枠部分内側面から伸びる前記トイレットペーパーセット用芯棒の付け根位置と前記取り外し側面部分の側の対極同位置に連結を担う為のボタン穴を有し、更に前記本体外枠部分正面の破断カッター付け根位置と対極同位置には前記破断カッターの先端部分を連結固定を担う為のフックをも有し、従って前記連結の為のボタン穴を通過した前記本体外枠部分から伸びる芯棒は外側からはめ込むワンタッチボタンで、前記破断カッターの先端部分の方はフックでと、この２つが連結のポイントを担う事で合体型を為し、前記トイレットペーパーの着脱の簡便さと可愛さをも表現した請求項１又は２掲載の合体型を特徴とする置き型、吊るし型両用でのトイレットペーパーホルダーグッズ。
【手続補正２】
【補正対象書類名】図面
【補正対象項目名】図２
【補正方法】変更
【補正の内容】
【図２】
0003206043.tif 000013